(57)【要約】【目的】車室内などに配される据置型のオーディオ装置を利用し、自動車の運転中などでもポータブル型音響再生機を良好に操作できるようにする。【構成】リモコン装置６により操作可能とされるポータブル型音響再生機１をリモコン装置６に代わって操作するためのリモートコントロール機能を備えた据置型のオーディオ装置１０である。係るオーディオ装置１０は、リモコン装置６に設けられる操作スイッチ７に対応する操作キー１２と、その操作キー１２の操作によってリモコン装置６からポータブル型音響再生機１に入力される動作電圧と同じ電圧を発生する電圧発生手段１８，２８と、その電圧発生手段１８，２８からの出力電圧をポータブル型音響再生機１に入力するための外部接続端子１３とを有し、その外部接続端子１３とポータブル型音響再生機１に設けられるリモコン装置の接続端子部２とが信号線１４Ａで繋がれる。【選択図】図２
2006048868.tif 000002
【特許請求の範囲】
【請求項１】
有線式のリモコン装置により操作可能とされるポータブル型音響再生機を前記リモコン装置に代わって操作するためのリモートコントロール機能を備えた据置型のオーディオ装置であり、前記リモコン装置に設けられる操作スイッチに対応する操作キーと、その操作キーの操作によって前記リモコン装置から前記ポータブル型音響再生機に入力される動作電圧と同じ電圧を発生する電圧発生手段と、その電圧発生手段からの出力電圧を前記ポータブル型音響再生機に入力するための外部接続端子とを有し、その外部接続端子と前記ポータブル型音響再生機に設けられるリモコン装置の接続端子部とが信号線で繋がれるようにしたことを特徴とするオーディオ装置。
【請求項２】
電圧発生手段は、外部接続端子からポータブル型音響再生機に入力される電圧を調整可能な可変電圧部と、操作キーの操作による入力信号に基づいて前記可変電圧部から所定の電圧が取り出されるよう該可変電圧部を制御する制御部とを有して成ることを特徴とする請求項１記載のオーディオ装置。
【請求項３】
制御部には、操作キーの操作による入力信号に基づいて可変電圧部を制御するための制御データを記憶するメモリー部が接続されることを特徴とする請求項２記載のオーディオ装置。
【発明の詳細な説明】
【技術分野】
【０００１】
本発明は車室内などに配される据置型（コンポーネント型）のオーディオ装置に係わり、特に有線式のリモコン装置（ワイヤードリモコン）により操作可能とされる既存のポータブル型音響再生機をこれに付属する上記のリモコン装置に代わって操作可能としたオーディオ装置に関する。
【背景技術】
【０００２】
従来、車室内などに配される据置型のオーディオ装置として、ＣＤプレーヤやラジオ受信機内蔵型カセットテープデッキなどが知られる。一方、機器本体に接続するヘッドホン（イヤホンを含む）によりカセットテープやＣＤ（コンパクトディスク）に記録された音楽情報を聴取することのできるポータブル型音響再生機も従来から一般に良く知られている。特に、近年では一万曲を超えるような音楽を記録する事のできるＨＤ（ハードディスク）の再生駆動を行うポータブル型音響再生機（例えば、アップル社の商品名ｉＰＯＤ）の普及が顕著である。
【０００３】
その種のポータブル型音響再生機として、ＣＤやＨＤの再生駆動を行う機器本体に接続されるヘッドホンコードの途中にリモコン装置を介在させ、そのリモコン装置により機器本体を操作できるようにしたものが一般に良く知られている（例えば、特許文献１）。
【０００４】
尚、係るリモコン装置ＲＣは、図５のように複数に分割された抵抗Ｒ１，Ｒ２，・・に対応して再生開始スイッチ（ＰＬＡＹ）、選曲送りスイッチ（ＦＦ）、選曲戻しスイッチ（ＦＢ）、停止スイッチ（ＳＴＯＰ）などの操作スイッチを有し、その各スイッチの操作によって変化する出力電圧がポータブル型音響再生機ＰＰ本体側に設けられるＡ／Ｄコンバータ（ＡＤ／Ｃ）により読み取られて再生機本体が所定の動作を行うようになっている。
【０００５】
【特許文献１】特開２００１−２８３５８２号公報
【発明の開示】
【発明が解決しようとする課題】
【０００６】
ここに、特許文献１などに開示されるポータブル型音響再生機（携帯型音声再生装置）によれば、機器本体に接続するヘッドホンにより再生音を聴取することが通例であるが、そのほかヘッドホンの接続端子を外部装置の入力端子に接続するか、ＦＭトランスミッタでＦＭ電波を飛ばす方法も採られている。
【０００７】
然し、いずれの場合も音声の出力先を選定するだけであるから、選曲などの操作は機器本体やこれに接続するリモコン装置で行うしかなく、自動車内での利用では助手席などに置かれる機器本体やリモコン装置の操作により脇見運転を余儀なくされて非常に危険である。
【０００８】
本発明は以上のような事情に鑑みて成されたものであり、その目的は車室内などに配される据置型のオーディオ装置を利用し、自動車の運転中などでもポータブル型音響再生機を良好に操作できるようにすることにある。
【課題を解決するための手段】
【０００９】
本発明は上記目的を達成するため、有線式のリモコン装置により操作可能とされるポータブル型音響再生機を前記リモコン装置に代わって操作するためのリモートコントロール機能を備えた据置型のオーディオ装置であり、前記リモコン装置に設けられる操作スイッチに対応する操作キーと、その操作キーの操作によって前記リモコン装置から前記ポータブル型音響再生機に入力される動作電圧と同じ電圧を発生する電圧発生手段と、その電圧発生手段からの出力電圧を前記ポータブル型音響再生機に入力するための外部接続端子とを有し、その外部接続端子と前記ポータブル型音響再生機に設けられるリモコン装置の接続端子部とが信号線で繋がれるようにしたことを特徴とするオーディオ装置を提供する。
【００１０】
又、以上のようなオーディオ装置において、電圧発生手段は、外部接続端子からポータブル型音響再生機に入力される電圧を調整可能な可変電圧部と、操作キーの操作による入力信号に基づいて前記可変電圧部から所定の電圧が取り出されるよう該可変電圧部を制御する制御部とを有して成ることを特徴とする。
【００１１】
更に、制御部には、操作キーの操作による入力信号に基づいて可変電圧部を制御するための制御データを記憶するメモリー部が接続されることを特徴とする。
【発明の効果】
【００１２】
本発明のオーディオ装置によれば、ポータブル型音響再生機をこれに付属する小型のリモコン装置に代わって操作可能とされることから、操作性向上を図れ、特に車載用にして安全性を高めることができる。
【００１３】
又、請求項２，３に係る発明では、動作電圧の設定が異なる様々なポータブル型音響再生機に対応することができる。
【発明を実施するための最良の形態】
【００１４】
以下、図面に基づいて本発明を詳しく説明する。図１は公知のポータブル型音響再生機を示す概略図である。図１において、１はコンパクトディスクやハードディスクといった情報記録媒体を再生駆動する機器本体（ポータブル型音響再生機）であり、このポータブル型音響再生機１には信号の入出力に用いられる接続端子部２が設けられる。３はポータブル型音響再生機１による再生音を聴取するためのヘッドホンであり、これに繋がるワイヤ４の一端にはプラグ５が設けられ、そのプラグ５が接続端子部２に差し込まれる構成となっている。６はワイヤ４の途中に介在されるリモコン装置（操作器）であり、このリモコン装置６にはポータブル型音響再生機１を再生駆動させるための再生開始スイッチ（ＰＬＡＹ）、選曲送りスイッチ（ＦＦ）、選曲戻しスイッチ（ＦＢ）、並びに停止スイッチ（ＳＴＯＰ）などから構成される操作スイッチ７が設けられる。そして、係るポータブル型音響再生機１によれば、リモコン装置６の操作スイッチ７を操作すると、その夫々に割り当てられた電圧がワイヤ４を通じてポータブル型音響再生機１に入力され、これによりポータブル型音響再生機１が操作された操作スイッチ７の種類に応じた所定の動作を行うようになっている。
【００１５】
図２は、以上のようなポータブル型音響再生機１を専用のリモコン装置６に代わって操作するリモートコントロール機能を有する本願オーディオ装置１０を示した斜視概略図である。係るオーディオ装置１０は例えば車載用ＣＤプレーヤであり、その前面操作パネル部１１には内部の制御機器に制御信号を入力するための押しボタン式の操作キー１２、並びにポータブル型音響再生機１を接続する外部接続端子１３などが設けられる。操作キー１２はオーディオ装置１０を再生駆動する再生開始キー、選曲送りキー、選曲戻しキー、並びに停止キーなどを含み、それらは上記リモコン装置の操作スイッチ７に対応してポータブル型音響再生機１を操作することにも用いられる。
【００１６】
尚、オーディオ装置１０によりポータブル型音響再生機１を操作する場合には、その両者をワイヤ４に相当する電気ケーブル１４で繋ぐのであり、係る電気ケーブル１４の両端にはポータブル型音響再生機１の接続端子部２と、オーディオ装置１０の外部接続端子１３とに差し込むプラグ１５，１６が設けられる。
【００１７】
図３はポータブル型音響再生機をリモートコントロールするオーディオ装置の回路構成を示したブロック図である。
【００１８】
図３のように、上記の電気ケーブル１４は信号線１４Ａを含み、その信号線１４Ａを介して図２に示したポータブル型音響再生機の接続端子部２とオーディオ装置の外部接続端子１３が繋がるようになっている。尚、ポータブル型音響再生機の接続端子部２には上記リモコン装置６からの入力信号を読み取る既設のＡ／Ｄコンバータ１Ａが接続され、オーディオ装置１０内には外部接続端子１３に接続するＡ／Ｄコンバータ１７が新設される。又、オーディオ装置１０内にはＡ／Ｄコンバータ１７に接続する電圧発生手段１８が設けられ、その電圧発生手段１８に操作キー１２、ステップアップキー１９、並びにメモリーキー２０が接続される構成としてある。
【００１９】
尚、図２では省略したが、ステップアップキー１９とメモリーキー２０は操作パネル部１１に配される。又、電圧発生手段１８にはＰＷＭ（pulse width modulation）制御回路などを用いることができる。
【００２０】
そして、本例によれば、メモリーキー２０の押圧操作によりポータブル型音響再生機１の接続端子部２の電圧が信号線１４Ａを通じてＡ／Ｄコンバータ１７で読み取られ、係るＡ／Ｄコンバータ１７の出力が電圧発生手段１８により幅の異なる複数のパルスに分割（上記リモコン装置の操作スイッチの数より多い８分割程度とされるが、１６分割、３２分割でもよい）された後、ステップアップキー１９を押圧操作することにより、分割された各パルスの幅に対応する電圧が電圧発生手段１８から順次出力され、その各出力電圧が外部接続端子１３から信号線１４Ａを通じてポータブル型音響再生機１に入力されるようにしてある。
【００２１】
尚、ステップアップキー１９の押圧操作により電圧発生手段１８の出力電圧を順次上昇（又は降下）させていくと、ある段階でポータブル型音響再生機１が所定の動作（例えば再生駆動）を行うようになるので、このときの電圧発生手段１８の出力電圧を操作キー１２の何れか一つ（好ましくはポータブル型音響再生機１の再生駆動時において再生開始キー）の押圧操作による入力信号に対応させて図示せぬメモリー部に記憶することにより、操作キー１２（再生開始キー）を押圧操作したときにポータブル型音響再生機１を再生駆動させるための電圧を電圧発生手段１８より出力し、これを外部接続端子１３から信号線１４Ａを介してポータブル型音響再生機１に入力して該ポータブル型音響再生機を再生駆動させることができる。
【００２２】
従って、オーディオ装置１０の操作キー１２の夫々に上記のようにして所定の電圧を割り当てることにより、それらの押圧操作でポータブル型音響再生機１の停止動作なども行えるようになる。
【００２３】
ここに、上記のような操作キー１２への電圧割り当て操作はメモリーキー２０を２度押圧するなどして完了するよう制御することができ、ポータブル型音響再生機１の非操作時には、図示せぬ切換スイッチによりモードを切り替えて操作キー１２でオーディオ装置１０自体を操作することができる。
【００２４】
次に、図４は電圧発生手段に電子ポテンショメータを用いた例である。図４において、２８は電圧発生手段であり、係る電圧発生手段２８は可変電圧部２８Ａ、制御部２８Ｂ、並びにメモリー部２８Ｃから構成される。可変電圧部２８Ａは電子ポテンショメータから成り、これは複数の抵抗Ｒ１，Ｒ２，Ｒ３，Ｒ４，・・を繋いで上記リモコン装置と同様の分圧回路を構成する。その各抵抗Ｒ１，Ｒ２，・・端部にはトランジスタなどから構成される複数のスイッチ部ＳＷ１，ＳＷ２，ＳＷ３，ＳＷ４，・・を介し、その各スイッチ部ＳＷ１，ＳＷ２，・・の切り換えを行う制御部２８Ｂが接続される。
【００２５】
又、制御部２８Ｂには操作キー１２、ステップアップキー１９、メモリーキー２０、並びにメモリー部２８Ｃが接続される。このうち、メモリー部２８ＣはＥＥＰＲＯＭなどの不揮発性メモリーから成り、これには操作キー１２の操作による入力信号に基づいて可変電圧部２８Ａの制御（スイッチ部ＳＷ１，ＳＷ２，・・のスイッチング制御）を行うための制御データが記憶される。
【００２６】
そして、本例によれば、メモリーキー２０の押圧操作により記憶モードとし、係る記録モードにおいてステップアップキー１９を押圧操作することにより、可変電圧部２８Ａを構成するスイッチ部ＳＷ１，ＳＷ２，・・を順次切り換え、これにより信号線１４Ａで繋がれた状態のポータブル型音響再生機１が所定の動作（例えば再生駆動）を行ったときにスイッチ部ＳＷ１，ＳＷ２，・・のうちＯＮ状態のものと、操作キー１２の何れか一つ（好ましくはポータブル型音響再生機１の再生駆動時において再生開始キー）の押圧操作による入力信号とを対応させ、これが上記の制御データとしてメモリー部２８Ｃに記憶されるようにしてある。
【００２７】
ここに、メモリー部２８Ｃへの制御データの記憶設定操作はメモリーキー２０を２度押圧するなどして完了するよう制御することができ、その後で外部接続端子１３にポータブル型音響再生機１を接続して電源投入し、操作キー１２（例えば再生開始キー）を押圧操作したときには、その入力信号に対応する制御データが制御部２８Ｂにより自動的に読み出され、これによりスイッチ部ＳＷ１，ＳＷ２，・・の一つがＯＮとなり、可変電圧部２８Ａからポータブル型音響再生機１を再生駆動させるための電圧が出力され、これが外部接続端子１３から信号線１４Ａを介してポータブル型音響再生機１に入力して該ポータブル型音響再生機が再生駆動するようになる。
【００２８】
従って、本例においても、オーディオ装置の操作キー１２の夫々について上記同様の設定を行うことにより、それらの押圧操作でポータブル型音響再生機１の停止その他の動作を行うことができる。又、ポータブル型音響再生機１の非操作時には、図示せぬ切換スイッチによりモードを切り替えて操作キー１２でオーディオ装置１０自体を操作することもできる。
【００２９】
尚、図３において省略したが、オーディオ装置の外部接続端子１３には車室内などに配されるスピーカＳＰが接続され、このスピーカＳＰによってポータブル型音響再生機１の出力音が聴取可能とされる。
【００３０】
以上、本発明について説明したが、係るオーディオ装置は車載用ＣＤプレーヤに限定されるものでなく、ラジオ受信機内蔵型カセットテープデッキなどにも適用できる。
【図面の簡単な説明】
【００３１】
【図１】ポータブル型音響再生機を示す説明図
【図２】本願オーディオ装置とポータブル型音響再生機との接続態様を示す斜視概略図
【図３】ポータブル型音響再生機を操作するオーディオ装置の回路構成を示すブロック図
【図４】オーディオ装置の他の回路構成を示すブロック図
【図５】ポータブル型音響再生機の操作に用いられるリモコン装置の回路図
【符号の説明】
【００３２】
１  ポータブル型音響再生機
２  接続端子部（リモコン及びヘッドホン端子）
６  リモコン装置
７  操作スイッチ
１０  オーディオ装置
１２  操作キー
１３  外部接続端子
１４  電気ケーブル
１４Ａ  信号線
１８，２８  電圧発生手段
２８Ａ  可変電圧部
２８Ｂ  制御部
２８Ｃ  メモリー部
【図１】
2006048868.tif 000003
【図２】
2006048868.tif 000004
【図３】
2006048868.tif 000005
【図４】
2006048868.tif 000006
【図５】
2006048868.tif 000007